(57)【特許請求の範囲】
【請求項１】
印刷出力された画像が所定の観賞位置に設置されて観測者に視覚されたときの見た目の色合いを適正化するように前記画像を印刷出力する画像印刷方法であって、
色情報を有する画像データを外部より取得し、
前記観賞位置および前記観測者に照射される空間照明光のうち前記観賞位置に照射される空間照明光のみに関する空間照明光情報と、前記観賞位置に照射されて前記観測者には照射されない間接照明光に関する間接照明光情報とを含む照明光情報を取得し、
前記空間照明光情報および前記間接照明光情報に対して重み付けの度合いをそれぞれ設定し、
前記画像データの色情報を、前記照明光情報と、前記空間照明光情報および前記間接照明光情報に対する重み付けの度合いとに基づいて補正し、
前記補正された画像データによって表される画像を印刷出力することを特徴とする画像印刷方法。
【請求項２】
請求項１の画像印刷方法において、
前記補正される前の画像データが有する色情報と、前記観測者が前記照明光の環境下に
ある前記観賞位置に設置された前記印刷出力された画像より受ける色情報とは、同一の色
情報であることを特徴とする画像印刷方法。
【請求項３】
請求項１または２の画像印刷方法において、
前記間接照明光情報に対する重み付けの度合いを、前記空間照明光情報に対する重み付
けの度合いよりも大きくすることを特徴とする画像印刷方法。
【請求項４】
請求項１〜３のいずれかの画像印刷方法において、
前記補正される前の画像データによって表される画像が印刷出力されて前記観賞位置に
設置されたときの見た目の色合いを画面表示することを特徴とする画像印刷方法。
【請求項５】
請求項１〜４のいずれかの画像印刷方法において、
前記補正される前の画像データによって表される画像を印刷出力した第１の印刷出力画
像と、前記補正された画像データによって表される画像を印刷出力した第２の印刷出力画
像とに対して、それぞれ異なる色調の照明光が照射されたときに、前記観測者がそれぞれ
の印刷出力画像より受ける反射光の色情報が同一となるよう、前記画像データの色情報を
補正することを特徴とする画像印刷方法。
【請求項６】
印刷出力された画像が所定の観賞位置に設置されて観測者に視覚されたときの見た目の色合いを適正化するように前記画像を補正する画像補正装置であって、
色情報を有する画像データを外部より取得する画像データ取得手段と、
前記観賞位置および前記観測者に照射される空間照明光のうち前記観賞位置に照射される空間照明光のみに関する空間照明光情報と、前記観賞位置に照射されて前記観測者には照射されない間接照明光に関する間接照明光情報とを含む照明光情報を取得する照明光情報取得手段と、
前記空間照明光情報および前記間接照明光情報に対して重み付けの度合いをそれぞれ設定する重み付け設定手段と、
前記画像データの色情報を、前記照明光情報と、前記空間照明光情報および前記間接照明光情報に対する重み付けの度合いとに基づいて補正する補正手段とを備えることを特徴とする画像補正装置。
【請求項７】
請求項６の画像補正装置において、
前記補正手段により補正される前の画像データが有する色情報と、前記観測者が前記照
明光の環境下にある前記観賞位置に設置された前記印刷出力された画像より受ける色情報
とを、同一の色情報とすることを特徴とする画像補正装置。
【請求項８】
請求項６または７の画像補正装置において、
前記重み付け設定手段は、前記間接照明光情報に対する重み付けの度合いを、前記空間
照明光情報に対する重み付けの度合いよりも大きくすることを特徴とする画像補正装置。
【請求項９】
請求項６〜８のいずれかの画像補正装置において、
前記補正される前の画像データによって表される画像が印刷出力されて前記観賞位置に
設置されたときの見た目の色合いを画面表示する表示手段をさらに備えることを特徴とす
る画像補正装置。
【請求項１０】
請求項６〜９のいずれかの画像補正装置において、
前記補正される前の画像データによって表される画像を印刷出力した第１の印刷出力画
像と、前記補正された画像データによって表される画像を印刷出力した第２の印刷出力画
像とに対して、それぞれ異なる色調の照明光が照射されたときに、前記観測者がそれぞれ
の印刷出力画像より受ける反射光の色情報が同一となるよう、前記画像データの色情報を
補正することを特徴とする画像補正装置。
【請求項１１】
請求項６〜１０のいずれかの画像補正装置と、
前記補正された画像データによって表される画像を印刷出力する画像印刷手段とを備え
ることを特徴とする画像印刷装置。
【請求項１２】
請求項６〜１０のいずれかの画像補正装置を少なくとも１つと、
様々な場所における照明光に関する情報を前記照明光情報として記憶するサーバ手段と
を備え、
前記画像補正装置は、前記サーバ手段より様々な場所における前記照明光情報を取得し
、前記画像データの色情報をその照明光情報に基づいて補正することを特徴とする画像補
正システム。                                        
【発明の詳細な説明】
【技術分野】
【０００１】
本発明は、画像を印刷出力する方法に関する。
【背景技術】
【０００２】
ハードコピーとして紙などに印刷出力されたプリント画像は、モニタなどの発光装置に画面表示される画像に比べ、照射される照明光の状態によって生じる見た目の色変化が大きい。このため、照明光の情報を検出してモニタに出力するプレビュー画像の色情報を補正することにより、プレビュー画像とプリント画像の見た目が同等になるようにする画像処理装置が知られている（特許文献１）。
【０００３】
【特許文献１】特開平１０−３３４２１８号公報
【発明の開示】
【発明が解決しようとする課題】
【０００４】
特許文献１の画像処理装置では、印刷出力されるプリント画像の色情報は一定であり、照明光の状態によって変化することはない。そのため、照明光の状態が異なる場所においてそのプリント画像を見た場合、プレビュー画面に表示された画像と見た目が異なり、違和感が生じることがある。
【課題を解決するための手段】
【０００５】
請求項１の発明による画像印刷方法は、印刷出力された画像が所定の観賞位置に設置されて観測者に視覚されたときの見た目の色合いを適正化するように画像を印刷出力する画像印刷方法であって、色情報を有する画像データを外部より取得し、観賞位置および観測者に照射される空間照明光のうち観賞位置に照射される空間照明光のみに関する空間照明光情報と、観賞位置に照射されて観測者には照射されない間接照明光に関する間接照明光情報とを含む照明光情報を取得し、空間照明光情報および間接照明光情報に対して重み付けの度合いをそれぞれ設定し、画像データの色情報を、照明光情報と、空間照明光情報および間接照明光情報に対する重み付けの度合いとに基づいて補正し、補正された画像データによって表される画像を印刷出力するものである。
請求項２の発明は、請求項１の画像印刷方法において、補正される前の画像データが有する色情報と、観測者が照明光の環境下にある観賞位置に設置された印刷出力された画像より受ける色情報とは、同一の色情報であることとするものである。
請求項３の発明は、請求項１または２の画像印刷方法において、間接照明光情報に対する重み付けの度合いを、空間照明光情報に対する重み付けの度合いよりも大きくするものである。
請求項４の発明は、請求項１〜３のいずれかの画像印刷方法において、補正される前の画像データによって表される画像が印刷出力されて観賞位置に設置されたときの見た目の色合いを画面表示するものである。
請求項５の発明は、請求項１〜４のいずれかの画像印刷方法において、補正される前の画像データによって表される画像を印刷出力した第１の印刷出力画像と、補正された画像データによって表される画像を印刷出力した第２の印刷出力画像とに対して、それぞれ異なる色調の照明光が照射されたときに、観測者がそれぞれの印刷出力画像より受ける反射光の色情報が同一となるよう、画像データの色情報を補正するものである。
請求項６の発明による画像補正装置は、印刷出力された画像が所定の観賞位置に設置されて観測者に視覚されたときの見た目の色合いを適正化するように画像を補正する画像補正装置であって、色情報を有する画像データを外部より取得する画像データ取得手段と、観賞位置および観測者に照射される空間照明光のうち観賞位置に照射される空間照明光のみに関する空間照明光情報と、観賞位置に照射されて観測者には照射されない間接照明光に関する間接照明光情報とを含む照明光情報を取得する照明光情報取得手段と、空間照明光情報および間接照明光情報に対して重み付けの度合いをそれぞれ設定する重み付け設定手段と、画像データの色情報を、照明光情報と、空間照明光情報および間接照明光情報に対する重み付けの度合いとに基づいて補正する補正手段とを備えるものである。
請求項７の発明は、請求項６の画像補正装置において、補正手段により補正される前の画像データが有する色情報と、観測者が照明光の環境下にある観賞位置に設置された印刷出力された画像より受ける色情報とを、同一の色情報とするものである。
請求項８の発明は、請求項６または７の画像補正装置において、重み付け設定手段は、間接照明光情報に対する重み付けの度合いを、空間照明光情報に対する重み付けの度合いよりも大きくするものである。
請求項９の発明は、請求項６〜８のいずれかの画像補正装置において、補正される前の画像データによって表される画像が印刷出力されて観賞位置に設置されたときの見た目の色合いを画面表示する表示手段をさらに備えるものである。
請求項１０の発明は、請求項６〜９のいずれかの画像補正装置において、補正される前の画像データによって表される画像を印刷出力した第１の印刷出力画像と、補正された画像データによって表される画像を印刷出力した第２の印刷出力画像とに対して、それぞれ異なる色調の照明光が照射されたときに、観測者がそれぞれの印刷出力画像より受ける反射光の色情報が同一となるよう、画像データの色情報を補正するものである。
請求項１１の発明による画像印刷装置は、請求項６〜１０のいずれかの画像補正装置と、補正された画像データによって表される画像を印刷出力する画像印刷手段とを備えるものである。
請求項１２の発明による画像補正システムは、請求項６〜１０のいずれかの画像補正装置を少なくとも１つと、様々な場所における照明光に関する情報を照明光情報として記憶するサーバ手段とを備え、画像補正装置は、サーバ手段より様々な場所における照明光情報を取得し、画像データの色情報をその照明光情報に基づいて補正するものである。 
【発明の効果】
【０００６】
本発明は上記構成により、空間照明光と間接照明光を含む照明光の状態に応じて画像の色情報を補正し、印刷出力された画像が鑑賞される環境において適正な色合いとなるようにすることができる。
【発明を実施するための最良の形態】
【０００７】
本発明の一実施形態である画像印刷装置を図１に示す。この画像印刷装置は、取り込んだ画像データのプリント画像をハードコピーとして紙等に印刷出力する。このとき、印刷出力されるプリント画像が特定の鑑賞環境において適正な色合いで見えるように、その画像データの色補正を行うものである。図１の画像印刷装置１は、ＣＰＵ、メモリ、ハードディスク、Ｉ／Ｏポート、各種のインタフェース等からなる制御装置２と、プリント画像を印刷出力するプリンタ３と、各種画像や情報を表示するモニタ４と、キーボード５と、マウス６と、ディスクドライブ７と、スキャナ８と、カードリーダ９とを有する。これらには、一般に市販されているパーソナルコンピュータ（以下パソコンと言う）及びその周辺機器などが用いられる。
【０００８】
ディスクドライブ７は、搭載されたＣＤ−ＲＯＭやＤＶＤ−ＲＯＭなどの記録媒体１０から各種のデジタルデータを読み込むことができる。スキャナ８は原稿台にセットされた原稿１１を画像データとして読み込むことができる。カードリーダ９にはデジタルカメラ（電子カメラ）１２に装着されるメモリカード１３が装填される。カード状のリムーバブルメモリであるメモリカード１３には、デジタルカメラ１２によって撮像された画像データが記録され、カードリーダ９はその画像データを装填されたメモリカード１３より読み込むことができる。デジタルカメラ１２はＵＳＢ等のインターフェースを介して制御装置２と接続することができ、制御装置２は接続されたデジタルカメラ１２によって撮像された画像データを直接読み込むこともできる。制御装置２は、モデムやＬＡＮボード等を介してインターネット１４と接続することも可能である。
【０００９】
本実施の形態の画像印刷装置１は、記録媒体１０、原稿１１、デジタルカメラ１２、メモリカード１３、インターネット１４を介した他のコンピュータ１５等から、撮像画像や写真などの各種画像データを取得することができる。また画像印刷装置１は、画像処理プログラムを実行することにより、取得した画像データに各種の画像処理を加えることが可能である。本実施の形態では、画像処理の１つとして、特定の環境におけるプリント画像の見た目の色合いが適正なものとなるように、画像データの色情報をその環境の照明光に関する情報に基づいて補正する処理（以降、色味補正処理という）を行うことができる。この色味補正処理が行われた画像データによって印刷出力されるプリント画像の色味は、その特定の鑑賞環境において適正な色合いで見えるものである。
【００１０】
画像処理プログラムは、制御装置２内部のハードディスクに格納されており、そこから制御装置２のメモリに読み込まれて、制御装置２により実行される。この画像処理プログラムは、記録媒体１０等に格納されて、あるいは、インターネット１４などの電気通信回線を通じてデータ信号として提供されることにより、制御装置２内部のハードディスクに格納される。なお、インターネット１４を通じて画像処理プログラムが提供される場合、インターネット１４を介して接続されるサーバコンピュータからその画像処理プログラムは提供される。図１において、例えば、コンピュータ１５がサーバコンピュータとなり得る。サーバコンピュータ１５は、内部のハードディスク等の記録媒体に提供すべき画像処理プログラムを格納している。
【００１１】
本実施の形態の画像印刷装置１が実行する色味補正処理のフローチャートを図２に示す。図２の処理フローは、オペレータがマウス６の操作等によって色味補正処理の実行を選択したときに実行される。ステップＳ１では、色味補正処理の対象とする画像データを、オペレータのマウス６の操作等によって行われる選択結果に基づいて取得する。ここで取得される画像データは、前述したように記録媒体１０、原稿１１、デジタルカメラ１２、メモリカード１３、あるいはインターネット１４を介した他のコンピュータ１５等から取得したものであり、制御装置２内部のハードディスクに格納されている。そこからこのステップＳ１で選択された画像データが制御装置２内部のメモリに読み込まれる。
【００１２】
ステップＳ２では、プリント画像を鑑賞する環境における照明光情報を取得する。この照明光情報について、図３を用いて説明する。図３は、プリント画像の鑑賞環境を模式的に示したものである。この鑑賞環境において、図１の画像印刷装置１によって印刷出力されたプリント画像１０３には、空間照明１０１および間接照明１０２からの照明光が照射されている。観測者１０４は、プリント画像１０３によって反射されたそれらの照明光の反射光を受光することにより、プリント画像１０３を視覚する。このとき、空間照明１０１と間接照明１０２の照明光の色調によって、観測者１０４がプリント画像１０３を視覚したときに感じる色合いが変化する。たとえば、照明光が赤みを帯びた色調である場合、プリント画像１０３は本来の色合いよりも赤みを帯びたものとして観測者１０４に視覚される。なお、ここでいう本来の色合いとは、ある一定の照明環境下、たとえば白色蛍光灯を照明光としたときに視覚されるものであり、一般に自然な色合いとして認識されるものを指す。
【００１３】
プリント画像１０３に照射される照明光の色調に関する情報（照明光情報）は、図示しない測光装置などによって検出される色情報や色温度により表すことができる。したがって、空間照明１０１および間接照明１０２による照明光情報を検出し、その照明光の色調を打ち消すようにプリント画像１０３の元になる画像データの色情報を補正する。補正された画像データによってプリント画像１０３を印刷出力することにより、プリント画像１０３の色味が補正され、観測者１０４はこの鑑賞環境においてプリント画像１０３を本来の色合いで視覚することができる。図２のステップＳ２では、このような照明光情報を取得する。なお、本実施例では、色情報を補正される前の画像データによって表される画像を画面表示した場合、その色は前述の本来の色合いにおける色と同一となるものとする。すなわち、色情報を補正される前の画像データが有する色情報は、本来の色合いを表すものである。
【００１４】
プリント画像１０３に照射される照明光の照明光情報は、プリント画像１０３の位置にあらかじめ色情報が分かっている白色の板などの拡散反射物を置き、その反射光の色情報を観測者１０４の位置において測定することで検出できる。既知の拡散反射物の色情報に対して検出された反射光の色情報の変化量が、プリント画像１０３に照射される照明光の照明光情報に相当する。なお、拡散反射物において照明光はほぼ一様に拡散反射されるため、色情報を測定する位置が変化したとしても、それによって測定結果に大きな違いは生じない。また、通常はプリント画像１０３も拡散反射物であるため、観測者１０４の位置が変化しても、そこで視覚されるプリント画像１０３の色合いに大きな違いは生じない。
【００１５】
以下の説明では、上述したような照明光情報としてＬ＝（ＲＬ，ＧＬ，ＢＬ）という色情報が検出されたものとする。この照明光情報はＲＧＢ表色系によって表され、ＲＬ，ＧＬ，ＢＬのそれぞれが、たとえば０〜２５５（８ビットの例）のうちいずれかの値を有する。ステップＳ２において、オペレータがキーボード５やマウス６を操作してこの色情報Ｌを入力することで、画像印刷装置１は照明光情報を取得する。あるいは、図示しない測光装置を用いて色情報Ｌを検出し、その測光装置をＵＳＢ等のインタフェースやインターネットなどを介して制御装置２と接続することにより、照明光情報を取得してもよい。
【００１６】
ステップＳ３では、ステップＳ２で取得した照明光情報に基づいて、画像データの色情報値に対する補正ゲイン値を算出する。この補正ゲイン値を算出する方法を以下に説明する。図４（ａ）は、プリント画像１０３が前述した本来の色合いで視覚されるときの状況を表した図である。このときの照明光を基準照明光とし、照明光情報としてＬ０＝（Ｒ０，Ｇ０，Ｂ０）の色情報を有しているとする。また、プリント画像１０３は照射される照明光の色情報の各成分を、反射係数Ｈ＝（ＨＲ，ＨＧ，ＨＢ）の割合で反射するものとする。ＨＲ、ＨＧ、ＨＢは、ＲＧＢそれぞれの色情報に対応する値である。なお、プリント画像１０３は部分ごとに様々な配色を有しており、照明光を反射する割合はその配色によって変化するが、ここでは説明を簡単にするため、一定の割合で照明光を反射するものとする。
【００１７】
図４（ａ）において、プリント画像１０３より反射された基準照明光を受けることによって、観測者１０４はこのプリント画像１０３がＬ０・Ｈ＝（Ｒ０ＨＲ，Ｇ０ＨＧ，Ｂ０ＨＢ）の色情報を有するものとして視覚する。この色情報Ｌ０・Ｈは、自然な色合いとして観測者１０４に認識される。なお、色情報Ｌ０・Ｈはプリント画像１０３の元になる画像データ、すなわち色味補正処理を行う前の画像データが有する色情報と同一である。
【００１８】
図４（ｂ）は、プリント画像１０３にＬ＝（ＲＬ，ＧＬ，ＢＬ）の色情報を有する基準照明光とは異なる照明光が照射されたときの状況を表した図である。このとき、プリント画像１０３によって反射された照明光を受光することにより、観測者１０４はＬ・Ｈ＝（ＲＬＨＲ，ＧＬＨＧ，ＢＬＨＢ）の色情報を有するものとしてプリント画像１０３を視覚する。このとき観測者１０４が視覚する色合いは、前述した自然な色合いとは異なるものである。
【００１９】
図４（ｃ）は、プリント画像１０３を補正することによって得られた補正後のプリント画像１０３Ａに、Ｌ＝（ＲＬ，ＧＬ，ＢＬ）の色情報を有する照明光が照射されたときの状況を表した図である。ここで、補正ゲイン値（α、β、γ）によって補正されたプリント画像１０３Ａは、照射された照明光の色情報の各成分を反射係数ＨＣ＝（αＨＲ，βＨＧ，γＨＢ）の割合で反射するものとする。このとき、観測者１０４はＬ・ＨＣ＝（αＲＬＨＲ，βＧＬＨＧ，γＢＬＨＢ）の色情報を有するものとして補正後のプリント画像１０３Ａを視覚する。
【００２０】
図４（ｃ）において、補正ゲイン値（α、β、γ）を最適な値に設定すると、補正後のプリント画像により観測者１０４が視覚する色情報Ｌ・ＨＣを、図４（ａ）において自然な色合いとして認識される色情報Ｌ０・Ｈと一致させることができる。このとき、式（１）の関係が成り立つ。
Ｌ・ＨＣ＝（αＲＬＨＲ，βＧＬＨＧ，γＢＬＨＢ）
＝Ｌ０・Ｈ＝（Ｒ０ＨＲ，Ｇ０ＨＧ，Ｂ０ＨＢ）              ・・・・（１）
【００２１】
上記の式（１）により、補正ゲイン値（α、β、γ）は式（２）のように計算される。
（α、β、γ）＝（Ｒ０／ＲＬ，Ｇ０／ＧＬ，Ｂ０／ＢＬ）  ・・・・（２）
【００２２】
ステップＳ３では、ステップＳ２において取得された照明光情報Ｌ＝（ＲＬ，ＧＬ，ＢＬ）と、基準照明光の色情報Ｌ０＝（Ｒ０，Ｇ０，Ｂ０）とに基づいて、上記の式（２）により補正ゲイン値（α、β、γ）を算出する。なお、基準照明光の色情報Ｌ０は、前述のようにプリント画像１０３の見た目の色合いを本来の色合い、すなわち画像データの色情報が表す色合いと同一にするような特別なものである。すなわち、基準照明光はＲＧＢ各成分が等しい値の色情報を有する白色光であるといえる。あらかじめこのような色情報Ｌ０を記憶しておくことで、補正ゲイン値（α、β、γ）を算出できる。
【００２３】
なお、以上の説明では、プリント画像１０３が本来の色合いで視覚される照明光、すなわちＲＧＢ各成分の値が等しい色情報を有する白色照明光を基準照明光としたが、これ以外の照明光を基準照明光としてもよい。このとき、補正される前の画像データによるプリント画像をプリント画像Ａとし、補正された画像データによるプリント画像をプリント画像Ｂとすると、プリント画像Ａにその基準照明光が照射されたときに視覚される色合い（本来の色合いとは異なる色合い）と、プリント画像Ｂに基準照明光とは異なる色調の照明光が照射されたときに視覚される色合いとが同一となるような補正ゲイン値が、式（２）によって算出される。なお、このときの基準照明光の色情報は、ステップＳ２において照明光情報として取得してもよい。あるいは、ステップＳ１で選択した色味補正処理の対象とする画像データには撮影時の色温度などの情報が含まれるため、それに基づいて決定することとしてもよい。
【００２４】
また、以上の説明ではプリント画像１０３が一定の割合で照明光を反射するものと仮定して説明したが、式（２）によって求まる補正ゲイン値は画像の配色によって変化するものではない。そのため、様々な配色を有する画像についても、同様の方法によって補正ゲイン値を算出することができる。
【００２５】
ステップＳ４では、ステップＳ３で算出された補正ゲイン値によって、ステップＳ１で取得された色味補正処理の対象とする画像データを補正する。このとき、上記の式（２）によって表される補正ゲイン値（α、β、γ）を、対象画像データの色情報の各成分値にそれぞれ乗算する。
【００２６】
ステップＳ５では、ステップＳ４において補正された画像データにより、プレビュー画面をモニタ４に画面表示する。このとき、前述の鑑賞環境における照明光と基準照明光とのそれぞれが照射された場合について、観測者が視覚する色合いを比較できるようにすることが好ましい。また、補正前の画像データによるプリント画像を前述の鑑賞環境において視覚した場合の色合いも、合わせて画面表示するようにしてもよい。このようにすることで、実際にプリント画像を特定の鑑賞環境に設置しなくても、色味補正処理の効果を確認することができる。なお、このステップＳ５を省略してもよい。
【００２７】
ステップＳ６では、ステップＳ４において補正された画像データによるプリント画像を、プリンタ３を用いて印刷出力する。なお、プリンタ３とモニタ４との間では共通のカラーマネジメント処理が行われており、同一の色情報を同じ色合いで出力することができる。ステップＳ６の実行後、図２の処理を終了する。
【００２８】
以上説明したように、上記実施形態の画像印刷装置１によれば、照明光情報を取得し（ステップＳ２）、照明光によって変化する画像の色合いを本来の色合いに補正するための補正ゲイン値を算出する（ステップＳ３）。算出された補正ゲイン値によって画像データの色情報を補正し（ステップＳ４）、画像を印刷出力するようにした（ステップＳ６）。このようにしたので、鑑賞されるプリント画像の見た目の色合いを適正化することができ、観測者に本来の色合いで視覚させることができる。
【００２９】
また、補正後のプリント画像を照明環境で鑑賞したときの色合いと、補正前の画像データの色情報が表す色合いとを、同一とするようにした。このようにしたので、鑑賞されるプリント画像の見た目の色合いを補正前の画像データに合わせた違和感のないものにできる。
【００３０】
さらに、補正する前のプリント画像をある照明環境で鑑賞したときの色合いと、補正後のプリント画像を別の照明環境で鑑賞したときの色合いとを、同一とするようにした。このようにしたので、１つの画像を異なる照明環境の場所に展示したときの見た目の色合いを一致させることができる。たとえば、１つの写真を照明環境の異なる東京と大阪の２ヶ所の展示会場に展示する場合に、どちらで鑑賞しても同じ印象の色合いで鑑賞されるようにすることができる。
【００３１】
なお、上記の実施の形態では、照明光情報をオペレータの操作や測光装置からの出力信号などによって取得することとしたが、本発明はこの内容に限定されない。たとえば、上記に説明したような色味補正処理を行うことができる画像印刷装置が様々な場所の照明光情報を記憶しているサーバに接続されており、このサーバより照明光情報を受信して色味補正処理を行うようにしてもよい。このとき、サーバにはプリント画像が展示される各種の施設、たとえば各地の美術館、博物館などの照明光情報が記憶されており、色味補正処理を行うときにこれらを選択することができる。このようにすることで、実際にプリント画像の鑑賞環境における照明光情報を取得しなくても容易に色味補正処理を行うことができる。また、サーバに記憶されている施設にプリント画像を展示したときの色合いを再現することができるため、ユーザは様々な施設においてプリント画像がどのように見えるかを体験することができる。
【００３２】
また、上記の実施の形態では、空間照明と間接照明を合わせて照明光とし、この照明光による照明光情報に基づいて画像データの色情報を補正する例について説明した。しかし、空間照明による照明光情報（空間照明光情報）と、間接照明による照明光情報（間接照明光情報）とを別々に取得し、それぞれに基づいて色情報を補正してもよい。このときの照明光情報Ｌ１は、空間照明光情報と間接照明光情報に対して重み付けをした下記の式（３）のように表される。
Ｌ１＝（ｓ・ＲＳ＋ｔ・ＲＴ，ｓ・ＧＳ＋ｔ・ＧＴ，ｓ・ＢＳ＋ｔ・ＢＴ）
・・・（３）
ただし
Ｌ１：照明光情報
ＬＳ＝（ＲＳ，ＧＳ，ＢＳ）：空間照明光情報
ＬＴ＝（ＲＴ，ＧＴ，ＢＴ）：間接照明光情報
ｓ：空間照明光情報に対する重み付け係数
ｔ：間接照明光情報に対する重み付け係数
【００３３】
観測者が視覚する色合いは空間照明光に順応する性質があるため、見た目の色合いの変化は空間照明光よりも間接照明光による影響の方が大きい。そのため、式（３）において、間接照明光情報に対する重み付け係数ｔを空間照明光情報に対する重み付け係数ｓよりも大きくすることで、間接照明光情報に対する補正の度合いを大きくすることが好ましい。
【００３４】
さらに、上記実施の形態において説明した補正ゲイン値の算出方法は一例であり、これ以外の方法によって算出された補正ゲイン値を用いて色味補正処理の対象とする画像データの色情報を補正してもよい。あるいは、補正ゲイン値を算出せずに補正する方法でもよい。特定の鑑賞環境において視覚されるプリント画像の色合いが適正となるよう、その環境の照明光情報に基づいて画像データを補正するものである限り、本発明を適用可能である。
【００３５】
上記実施の形態では、色味補正処理を行う前の画像データの色情報が表す色合いは、自然な色合いとして一般に認識されるような本来の色合いであることとして説明したが、どのような色合いの色情報を有する画像データに対しても本発明を適用できる。
【００３６】
本発明は上記実施の形態に限定されるものではなく、本発明の技術的思想の範囲内で考えられるその他の態様も、本発明の範囲内に含まれる。
【図面の簡単な説明】
【００３７】
【図１】本発明の一実施形態の構成を示す図である。
【図２】本発明により実行される色味補正処理の内容を示すフローチャートである。
【図３】プリント画像の鑑賞環境を模式的に示した図である。
【図４】補正ゲイン値を算出する方法を説明する図であり、（ａ）は本来の色合いが視覚されるときの状況、（ｂ）は本来の色合いとは異なる色合いが視覚されるときの状況、（ｃ）は補正後のプリント画像によって本来の色合いが視覚されるときの状況をそれぞれ表している。
【符号の説明】
【００３８】
１  ：画像印刷装置
２  ：制御装置
３  ：プリンタ
４  ：モニタ
５  ：キーボード
６  ：マウス
７  ：ディスクドライブ
８  ：スキャナ
９  ：カードリーダ
１０  ：記録媒体
１１  ：原稿
１２  ：デジタルカメラ
１３  ：メモリカード
１４  ：インターネット
１５  ：コンピュータ
１０１  ：空間照明
１０２  ：間接照明
１０３  ：プリント画像
１０３Ａ：補正後のプリント画像
１０４  ：観測者
【図１】
0004694118.tif 000002
【図２】
0004694118.tif 000003
【図３】
0004694118.tif 000004
【図４】
0004694118.tif 000005